(57)【要約】【課題】背後の視認性低下を抑えながらフルカラー画像を表示できる表示装置を提供する。【解決手段】表示装置７０は、各画素の光透過量を制御する液晶パネル４０と、液晶パネル４０の背後に配置される光源装置７１とから構成される。光源装置７１は、透明な基板７２に、赤色に発光するＥＬ−Ｒ、緑色に発光するＥＬ−Ｇ、青色に発光するＥＬ−Ｂがそれぞれ複数個配列されている。表示制御部４４は、画像表示モードにおいては、ＥＬ−Ｒ、Ｇ、Ｂを高速で切り替え発光させながら、この切り替えに同期させて液晶パネル４０を駆動し、赤、緑、青の濃淡画像を切り替え表示することによってフルカラー画像を表示する。また、表示制御部４４は、透過モードにおいては、液晶パネル４０の全ての画素の光透過度を最大とすることによって、表示装置７０の背後を視認させる。【選択図】図９
2015150274.tif 000002
【特許請求の範囲】
【請求項１】
画素毎の光透過度を制御する液晶パネルと、
透明な板状の発光部を有し、前記発光部が前記液晶パネルの背面と対面するように前記液晶パネルの背面側に配置され、前記発光部の発光色を予め設定された複数色のいずれかに切り替えながら前記液晶パネルの背面を照明する光源装置と、
前記発光色の切り替えサイクルに連動して前記液晶パネルの画素毎の光透過度を切り替えることによって前記複数色のそれぞれに対応した各色の画像を切り替え表示し、フルカラー画像として視認させる表示制御手段と、を備え、
前記表示制御手段は、前記フルカラー画像を視認させる画像表示モードと、前記液晶パネルの光透過度を最大とし、前記液晶パネル及び前記発光部を介して当該表示装置の背後を視認させる透過モードとの２つの動作モードで前記液晶パネルの駆動制御を行うことを特徴とする表示装置。
【請求項２】
前記光源装置は、透明な基板と、前記基板に配置され、前記液晶パネルの背面を照明する複数の発光素子とから構成され、前記基板と前記発光素子とが一体となって前記発光部として機能することを特徴とする請求項１記載の表示装置。
【請求項３】
前記表示制御手段は、前記液晶パネルのうち、表示対象の画像が存在するエリアについては前記画像表示モードで駆動制御し、表示対象の画像が存在しないエリアについては前記透過モードで駆動制御し、
前記光源装置は、前記発光素子のうち、表示対象の画像が存在するエリアに対応する位置に配置された発光素子のみを発光させることを特徴とする請求項２記載の表示装置。
【請求項４】
表示対象の画像の位置及び形状の時間的な変化に対応して、前記画像表示モードで駆動制御するエリアの位置及び形状と、発光させる発光素子とを時間的に変化させることを特徴とする請求項３記載の表示装置。
【請求項５】
前記光源装置は、側面から入射した光を均斉化して前面から出射させることにより前記液晶パネルの背面を照明する導光板と、前記導光板の側部に配置され、前記導光板の側面へ向けて光を入射させる発光素子とから構成され、前記導光板が前記発光部として機能することを特徴とする請求項１記載の表示装置。
【請求項６】
請求項１〜５いずれか記載の表示装置と、
前記表示装置の背後に配置され、前記透過モードにおいて前記表示装置を介して視認される視認対象物とを備えたことを特徴とする遊技機。
【発明の詳細な説明】
【技術分野】
【０００１】
本発明は、表示装置や表示装置を有する遊技機に関するものである。
【背景技術】
【０００２】
パチンコ店などに設置されるスロットマシンやパチンコ機などの遊技機が広く知られている。このような遊技機では、各種画像を表示するディスプレイ（表示装置）や、各種音声を出力するスピーカ、ランプなどの電飾装置、可動式の役物などの各種演出装置を備え、これら演出装置により遊技を演出している。
【０００３】
また、遊技機の中には、リールの前方に透明な液晶ディスプレイを配置し、通常時はディスプレイを介してリールを視認させ、演出などの際には液晶ディスプレイに画像を表示させるものもある（下記特許文献１、２参照）。
【先行技術文献】
【特許文献】
【０００４】
【特許文献１】特開２００５−０２１６１４
【特許文献２】特開２００４−３４４６４５
【発明の概要】
【発明が解決しようとする課題】
【０００５】
しかしながら、上記特許文献記載の装置は、カラー画像を表示できない、または、カラー画像を表示する構成とした場合に、ディスプレイの透過度が低下してしまい、背後が視認し難くなってしまうといった問題があった。
【０００６】
つまり、上記特許文献記載の装置のように、液晶パネルを単色（白色）発光のバックライトで照明することによって画像を表示する場合、液晶パネルを透過する光の光量を制御するだけでは単色の濃淡画像しか表示できない（例えば、白色発光のバックライトを用いた場合は、液晶パネルの透過率を変化させても白（透過率１００％）と黒（透過率０％）との間のグレーの色合い変化しか表現できない）。
【０００７】
一方、従来の装置において、カラー画像を表示するためには、液晶パネル内に、バックライトからの光を、例えば、Ｒ（赤）Ｇ（緑）Ｂ（青）の各色に分解するためのカラーフィルタを配列する必要がある。しかし、この場合、カラーフィルタを介して、または、カラーフィルタの隙間から液晶パネルの背後を視認することになるので、視認性が低下してしまう。
【０００８】
本発明は、上記背景を鑑みてなされたものであり、背後の視認性低下を抑えながらカラー画像を表示可能な表示装置及び遊技機を提供することを目的としている。
【課題を解決するための手段】
【０００９】
上記目的を達成するために、本発明の表示装置は、画素毎の光透過度を制御する液晶パネルと、透明な板状の発光部を有し、前記発光部が前記液晶パネルの背面と対面するように前記液晶パネルの背面側に配置され、前記発光部の発光色を予め設定された複数色のいずれかに切り替えながら前記液晶パネルの背面を照明する光源装置と、前記発光色の切り替えサイクルに連動して前記液晶パネルの画素毎の光透過度を切り替えることによって前記複数色のそれぞれに対応した各色の画像を切り替え表示し、フルカラー画像として視認させる表示制御手段と、を備え、前記表示制御手段は、前記フルカラー画像を視認させる画像表示モードと、前記液晶パネルの光透過度を最大とし、前記液晶パネル及び前記発光部を介して当該表示装置の背後を視認させる透過モードとの２つの動作モードで前記液晶パネルの駆動制御を行うことを特徴としている。
【００１０】
前記光源装置は、透明な基板と、前記基板に配置され、前記液晶パネルの背面を照明する複数の発光素子とから構成され、前記基板と前記発光素子とが一体となって前記発光部として機能するものでもよい。
【００１１】
前記表示制御手段は、前記液晶パネルのうち、表示対象の画像が存在するエリアについては前記画像表示モードで駆動制御し、表示対象の画像が存在しないエリアについては前記透過モードで駆動制御し、前記光源装置は、前記発光素子のうち、表示対象の画像が存在するエリアに対応する位置に配置された発光素子のみを発光させるものでもよい。
【００１２】
表示対象の画像の位置及び形状の時間的な変化に対応して、前記画像表示モードで駆動制御するエリアの位置及び形状と、発光させる発光素子とを時間的に変化させてもよい。
【００１３】
前記光源装置は、側面から入射した光を均斉化して前面から出射させることにより前記液晶パネルの背面を照明する導光板と、前記導光板の側部に配置され、前記導光板の側面へ向けて光を入射させる発光素子とから構成され、前記導光板が前記発光部として機能するものでもよい。
【００１４】
また、上記目的を達成するために、本発明の遊技機は、上述した表示装置と、前記表示装置の背後に配置され、前記透過モードにおいて前記表示装置を介して視認される視認対象物とを備えたことを特徴としている。
【発明の効果】
【００１５】
本発明では、液晶パネルの背後に透明な発光部を設け、発光部の発光色を切り替えるとともに、この切り替えサイクルに連動して液晶パネルの各画素の光透過度を切り替えることによりフルカラー画像として視認させるようにした。これにより、本発明によれば、背後の視認性低下を抑えながらフルカラー画像を表示できる。
【００１６】
また、透明な基板に複数の発光素子を配置することによって発光部として機能させる場合、いずれの発光素子を発光させるかによって、液晶パネルのうち照明するエリア、すなわち、画像を表示可能なエリアの位置や形状を調節できるので、表示対象の画像が存在するエリアについては画像表示モードとし、表示対象の画像が存在しないエリアについては透過モードとするといったように、一画面内に、画像を表示する画像表示エリアと、背後を透過させる透過エリアとの２つのエリアを設けることができる。さらに、画像表示エリアや透過エリアの位置や形状を時間的に変化させることによって背後の視認対象物の前方で画像が動くといった態様の表示も可能となる。
【図面の簡単な説明】
【００１７】
【図１】スロットマシンの外観図である。
【図２】表示装置の外観図である。
【図３】表示装置の分解図である。
【図４】ライトユニットの平面図である。
【図５】導光板の構成を示す説明図である。
【図６】光源装置の断面図である。
【図７】導光板の構成を示す説明図である。
【図８】光源装置の断面図である。
【図９】表示装置の分解図である。
【発明を実施するための形態】
【００１８】
図１に示すように、スロットマシン（遊技機）１０は、収納箱１２と、前面扉１４とを備えている。収納箱１２にはリールユニットやホッパ装置などが収納されている。前面扉１４は上扉１４ａと下扉１４ｂとに分割されており、これら上扉１４ａ及び下扉１４ｂはそれぞれ収納箱１２に軸着され、開閉自在に支持されている。なお、以下では、スロットマシン１０が遊技場に設置された状態（図１に示す状態）において、遊技者と対面する側（手前側）を前（前面側）、遊技者から遠い側（奥側）を後（背面側）として各部の説明を行う。
【００１９】
上扉１４ａには、表示装置１６が設けられており、表示装置１６の背後には、回転自在な第１リール２０ａ、第２リール２０ｂ、第３リール２０ｃが設けられている。表示装置１６は、後述するように、フルカラー画像を表示する画像表示モードと、表示装置１６の背後を視認させる透過モードとの２種類の動作モードで作動する。そして、表示装置１６は、画像表示モードにおいては各種演出画像を表示することによって遊技を演出し、透過モードにおいては背後に配置されたリール２０ａ〜２０ｃを視認させる。各リール２０ａ〜２０ｃの外周面には複数種類の図柄が配列されており、透過モードにおいて各リール２０ａ〜２０ｃが停止すると表示装置１６を介してリール１つ当たり３個の図柄が表示される。
【００２０】
下扉１４ｂには、メダルを投入するメダル投入口２２、クレジットされたメダルをベットする際に操作されるベットボタン２４、遊技を開始する際に操作されるスタートレバー２６、回転しているリールを停止させるための第１ストップボタン３０ａ、第２ストップボタン３０ｂ、第３ストップボタン３０ｃ、メダルを払い出す払い出し口３２、払い出し口３２から払い出されたメダルを受けるメダル受け皿３４が設けられている。
【００２１】
スロットマシン１０は、メダル投入口２２にメダルを投入、または、クレジットされたメダルが存在する状態でベットボタン２４を操作することでメダルがベットされ、スタートレバー２６が有効化される。そして、有効化されたスタートレバー２６が操作されると、これに伴って遊技が開始される。遊技が開始されると、当選役抽選が行われて複数種類の当選役のいずれか又はハズレが決定されるとともに、各リール２０ａ〜２０ｃが回転を開始する。この後、各ストップボタン３０ａ〜３０ｃが有効化され、有効化されたストップボタン３０ａ〜３０ｃが操作されると、対応するリールの回転が個別に停止される。そして、全てのリールが停止したときに、当選役抽選で決定された当選役に対応する図柄の組合せが表示されるとこの当選役が入賞となり、入賞した当選役に対応付けされた処理が実行される。
【００２２】
図２に示すように、表示装置１６は、液晶の封入された液晶パネル４０と、液晶パネル４０を照明する光源装置４２と、これら液晶パネル４０及び光源装置４２と電気的に接続され、液晶パネル４０及び光源装置４２の駆動制御を行う表示制御部（表示制御手段）４４とから構成される。
【００２３】
図２、図３に示すように、液晶パネル４０は、表示装置１６に表示される画像の各画素に対応する位置の液晶のそれぞれに対して印加する電圧をコントロールし、各画素に対応する位置の液晶の配列を変化させることにより、各画素に対応する位置毎の光透過度を変化させる。なお、本明細書では、「画素に対応する位置」や「画素に対応する位置の液晶」を、単に「画素」と称する場合がある。
【００２４】
なお、液晶パネル４０は、カラーフィルタが付随しないものであれば、ＴＮ型、ＩＰＳ型、ＶＡ型など周知の各種のタイプのいずれを用いてもよい。また、一般に、液晶パネルは、液晶に対して電圧を印加しない状態で光透過度が最大となるＮＷ（ノーマリーホワイト）と、液晶に対して電圧を印加しない状態で光透過度が最低となるＮＢ（ノーマリーブラック）とに大別されるが、本発明ではこれらいずれを用いてもよい。ただし、本発明の表示装置１６は、透過モードでは背後を視認させる（液晶パネル４０の光透過度を最大とする）ため、透過モードでの消費電力を考慮すると、ＮＷの液晶パネルを用いることが好ましい。
【００２５】
光源装置４２は、導光板５０とライトユニット５２とが共通のフレーム（図示せず）に取り付けられるなどして一体化されたものであり、本実施形態では、導光板５０の上下左右の４つの側面と対面するように４つのライトユニット５２が設けられている。
【００２６】
図４に示すように、ライトユニット５２は、導光板５０の側面と対面する一端面が発光面５２ａとなっており、この発光面５２ａに、光源（発光素子）が設けられている。本実施形態では、光源として、赤色に発光するＬＥＤ−Ｒ、緑色に発光するＬＥＤ−Ｇ、青色に発光するＬＥＤ−Ｂを用いており、これらＬＥＤ−Ｒ、Ｇ、Ｂは、所定の配列パターン及び所定の配列ピッチでそれぞれ複数個配列されている。そして、ライトユニット５２は、画像表示モードにおいて、ＬＥＤ−Ｒ、Ｇ、Ｂのいずれかを選択的に点灯（発光色を切り替えながら点灯）させ、これらＬＥＤ−Ｒ、Ｇ、Ｂから照射された赤、緑、青の各色の光を、導光板５０の側面へ向けて照射する。
【００２７】
図５、図６において、導光板５０は、光透過性を有する（透明な）材料から形成されている。図５に示すように、導光板５０の背面には、複数の窪み５６ａが形成されており、図６に示すように、導光板５０の側面から入射したライトユニット５２からの光は、窪み５６ａの表面において窪み５６ａの表面への入射角度に応じた角度へと反射または屈折することにより拡散される。そして、このような光の拡散が窪み５６ａのそれぞれで発生することにより、導光板５０全体が面光源（発光部）として機能する。
【００２８】
前述のように、画像表示モードではＬＥＤ−Ｒ、Ｇ、Ｂのいずれかが選択的に点灯される。そして、ＬＥＤ−Ｒが点灯している状態では導光板５０全体が赤色に発光し、ＬＥＤ−Ｇが点灯している状態では導光板５０全体が緑色に発光し、ＬＥＤ−Ｂが点灯している状態では導光板５０全体が青色に発光する。このように、導光板５０全体が面光源として機能し、導光板５０から前面側に放射された光により液晶パネル４０の背面全体が均一に照明される（導光板５０の側面から入射した光が均斉化されて液晶パネル４０の背面全体に照射される）。
【００２９】
表示制御部４４は、液晶パネル４０及び光源装置４２を制御するために設けられ、前述のように、画像を表示する画像表示モードと、液晶パネル４０及び光源装置４２（導光板５０）を介して背後（本実施形態ではリール２０ａ〜２０ｃ）を視認させる透過モードとの２つの動作モードで動作する。
【００３０】
画像表示モードにおいて、表示制御部４４は、光源装置４２のＬＥＤ−Ｒ、Ｇ、Ｂを所定のサイクルで順番に切り替えながら発光させるとともに、この切り替えサイクルに連動させて液晶パネル４０の画素毎の光透過度を制御する（赤、緑、青の各色の画像を切り替え表示する）ことによって、フルカラー画像として視認させる。
【００３１】
具体的には、表示制御部４４は、光源装置４２を制御して、ＬＥＤ−Ｒ、Ｇ、Ｂのうちいずれか１つを順番に点灯させるとともに、ＬＥＤ−Ｒの点灯中は視認させる画像（フルカラー画像）の赤色成分となる赤色の濃淡画像を表示するように液晶パネル４０を駆動（画素毎の光透過度を制御）し、ＬＥＤ−Ｇの点灯中はフルカラー画像の緑色成分となる緑色の濃淡画像を表示するように液晶パネル４０を駆動し、ＬＥＤ−Ｂの点灯中はフルカラー画像の青色成分となる青色の濃淡画像を表示するように液晶パネル４０を駆動する。表示制御部４４は、このような各色の濃淡画像を高速（例えば、１秒間に６０回〜１８０回程度）で切り替え表示させる（光源装置４２の発光色を高速で切り替えながら、これに連動して液晶パネル４０を駆動する）。これにより、観察者には、赤、緑、青の各色の濃淡画像が合成された状態、すなわちフルカラー画像として視認される。なお、本明細書では、前述のように赤、緑、青の各色の濃淡画像を高速で切り替え表示することによってフルカラー画像として視認させることを、単にフルカラー画像を表示すると称する場合がある。
【００３２】
一方、表示制御部４４は、透過モードにおいては、液晶パネル４０の全ての画素について光透過度を最大とした状態を維持する。すなわち、液晶パネル４０がＮＢである場合は、全ての画素に最大電圧を印加した状態を維持し、液晶パネル４０がＮＷである場合は、いずれの画素にも電圧を印加しない状態を維持する。これにより、透過モードにおいては、液晶パネル４０及び光源装置４２（導光板５０）を介して、表示装置１６の背後（本実施形態ではリール２０ａ〜２０ｃ）が視認できる。
【００３３】
このように、表示装置１６では、透過モードにおいて視認させる視認対象物（本実施形態では、リール２０ａ〜２０ｃ）と観察者との間にカラーフィルタを設けることなくフルカラー画像を表示できる。これにより、表示装置１６によれば、視認対象物と観察者との間にカラーフィルタを設けることによってフルカラー画像を表示する構成のようにカラーフィルタを介してまたはカラーフィルタの隙間から背後を視認させる場合と比較して、背後の視認性を高めることができる。
【００３４】
また、視認対象物と観察者との間にカラーフィルタを設ける構成において背後の視認性を高めるためには、カラーフィルタ同士の間隔を広げるといったことが考えられるが、この場合、解像度（画素数）が低下してしまうといった問題があるが、表示装置１６では、このような問題も発生しない。
【００３５】
なお、本発明は、上記実施形態に限定されるものではなく、細部の構成については適宜変更できる。例えば、上記実施形態では、光源としてＬＥＤを用いる例で説明をしたが、光源としては有機ＥＬなどＬＥＤ以外の周知の光源のいずれを用いてもよい。また、各色の光源の数や配列パターン、配列ピッチも自由に設定できる。
【００３６】
また、上記実施形態では、導光板に断面半円形状の窪みを設けた例で説明をしたが、窪みの形状や数、配列パターンや配列ピッチについては自由に設定できる。もちろん、窪みに限定されず、刻みを設けてもよいし、点状の窪み、刻みに限定されず、筋状の窪み（すなわち、溝や筋状の刻み）を導光板に設けてもよいし、このような窪みや溝、刻みを組み合わせて設けてもよい。
【００３７】
また、導光板の背面に窪みや溝、刻みを設ける例に限定されず、導光板の前面に窪みや溝、刻みを設けてもよい。もちろん、導光板の前面と背面とに窪みや溝、刻みを設けてもよい。さらに、窪みや溝、刻みに代えて、点状の突起や筋状の突起（突条）を導光板の表面に設けてもよい。もちろん、窪みや溝、刻みに加えて突起や突条を導光板の表面に設けてもよい。また、このような窪みや溝、刻み、突起や突条を、導光板の表面に設けることに代えて、光透過性を有し（透明で）、かつ、導光板とは光の屈折率が異なる材料から形成された粒状の光拡散剤を、導光板内に混入させてもよい。こうすることによっても前述した実施形態と同様に導光板を面光源として機能させることができる。もちろん、導光板内に光拡散材を混入することに加えて、導光板の表面に窪みや溝、刻み、突起や突条を設けてもよい。また、前述のような導光板を複数枚重ね合わせて用いてもよい。
【００３８】
また、図７、図８に示すように、内部に光拡散剤が混入されたり、表面に窪みや溝、刻み、突起や突条が設けられた透明な光学シートを、透明なベース板に貼り付けることにより、これら（光学シートとベース板）を導光板として機能させてもよい。なお、図７、図８に示す例では、上記実施形態で説明をした窪み５６ａと同様の機能を有する突起６６ａが前面に設けられた光学シート６６を、ベース板６４の背面に貼り付けることによって、導光板６０を構成する例を示している。また、図７、図８では、上述した実施形態と同様の部材については同様の符号を付して説明を省略している。
【００３９】
このように、ベース板に光学シートを貼り付けることによって導光板を構成しても、上述した実施形態と同様の効果を得ることができる。なお、光学シートは、ベース板の前面にのみ貼り付けてもよいし、ベース板の両面に貼り付けてもよい。もちろん、ベース板と光学シートとを交互に配置するなどして、導光板を４層以上の構造としてもよい。
【００４０】
また、上記実施形態では、導光板の全ての側面にライトユニットを設ける例（導光板の全ての側面から光を入射させる例）で説明をしたが、導光板の一部の側面にのみ（例えば、左右の側面にのみ）ライトユニットを設けてもよい（導光板の一部の側面からのみ光を入射させてもよい）。
【００４１】
また、上記実施形態では、導光板の側面に光源を設け、光源からの光を導光板内で拡散させることで、導光板全体を発光させる（導光板を発光部として機能させる）例で説明をしたが、図９に示す表示装置７０のように、液晶パネル４０の背後に光源を配置してもよい。なお、図９では、前述した実施形態と同様の部材については同様の符号を付して説明を省略している。
【００４２】
図９において、表示装置７０は、液晶パネル４０の背後に光源装置７１が配置されている。光源装置７１は、光透過性を有する材料から形成された透明な基板７２に、光源として、赤色に発光するＥＬ−Ｒ、緑色に発光するＥＬ−Ｇ、青色に発光するＥＬ−Ｂが設けられたものである。ＥＬ−Ｒ、Ｇ、Ｂは、半透明の有機ＥＬからなり、それぞれ所定パターン及び所定ピッチで配列されており、ＥＬ−Ｒが点灯している状態では基板７２全体が赤色に発光し、ＥＬ−Ｇが点灯している状態では基板７２全体が緑色に発光し、ＥＬ−Ｂが点灯している状態では基板７２全体が青色に発光する。このように、図９に示す例では、基板７２及び光源（ＥＬ−Ｒ、Ｇ、Ｂ）が一体となって発光部として機能する。
【００４３】
なお、図９の例のように、液晶パネルの背後に複数の光源を配列した場合、いずれの光源を点灯させるかによって、液晶パネルのうちの照明する部分（照明エリア）を自由に調節できる。そして、照明エリアについては、画像表示モードとすることでフルカラー画像を表示可能であるとともに、非照明エリアについては、透過モードとすることで背後を視認させることができる。つまり、図７の例では、一画面内に、画像を表示する画像表示エリアと、背後を透過させる透過エリアとの２つのエリアを設けることができる。また、これら２つのエリアの位置や形状を時間とともに変化させるなども可能となるので、例えば、画像表示エリアに蝶などの動くものを表示し、蝶の動き（例えば、右から左に羽ばたきながら移動する）に合わせて画像表示エリアの形状や位置を変化させることによって、リールの前を蝶が横切るなどの表示（演出）を行うことも可能である。
【００４４】
なお、本発明では、透過モードにおいて表示装置の背後を視認させているが、表示装置の背後を視認可能とするためには、液晶パネルや液晶パネルの背後に配置される発光部が光透過性を有している（すなわち、透明または半透明である）ことに加え、視認対象物が照明されている（または、視認対象物自体が発光している）必要がある。すなわち、表示装置の光透過度（液晶パネルと発光部の光透過度）を仮に１００％にしても、表示装置の背後が暗闇であった場合は、表示装置の背後に配置された視認対象物を視認することはできない。
【００４５】
このため、表示装置の背後に配置された視認対象物（上述した実施形態ではリール）を照明する照明装置を設け、透過モードにおいてこの照明装置を点灯して視認対象物を照明することが好ましい。なお、実際には、透過モードでは表示装置の前面側から外光（遊技機の設置されたホールの照明やホールに差し込む太陽光）が表示装置の背後に差し込み、視認対象物を照明するので、照明装置を設けない場合であっても視認対象物を全く視認できないといったことは考え難い。しかしながら、照明装置を設けない場合、外光の影響（光の強弱）などにより視認性が低下してしまう場合があり、照明装置を設けることによってこのような問題を防止して、視認対象物の視認性を向上させることができる。
【００４６】
また、画像表示モードにおいても、前述の照明装置を点灯させ、フルカラー画像と視認対象物との両方を視認させるようにしてもよい。つまり、画像表示モードにおいては、前述した発光部からの光によりフルカラー画像が生成されるが、これと同時に照明装置を点灯させることによって、フルカラー画像の画像光だけでなく、照明装置により照明された視認対象物からの光も観察者の目に同時に届くようになる。これにより、観察者には、視認対象物とフルカラー画像とが合成された合成画像が視認される。
【００４７】
さらに、合成画像を表示する際の視認対象物とフルカラー画像との両者の画像の合成比率は、発光部と照明装置との照明強度によって可変するので、これを利用し（発光部と照明装置との少なくとも一方の照明強度を調整可能に構成し）、視認対象物とフルカラー画像との合成比率を所望の比率に制御可能な構成としてもよい。
【００４８】
また、視認対象物とフルカラー画像との合成画像を表示する方法としては、画像表示モードと透過モードとを高速で切り替える（例えば、画像表示モードにおいて各色の濃淡画像を１回ずつ表示した後に所定時間（例えば、１／６０秒〜５／６０秒程度）透過モードとするといった処理を繰り返す）といったことも考えられる。さらに、この方法により合成画像を表示する場合、画像表示モードとする時間の長さと、透過モードとする時間の長さの比率を変化させる（例えば、前述した所定時間の長さを変化させる）ことで視認対象物とフルカラー画像との合成比率を調整することも可能である。
【００４９】
また、上記実施形態では、リールの前方に表示装置を配置する例で説明をしたが、表示装置の配置場所は自由に設定できる（視認対象物はリールに限定されない）ので、リール以外の視認対象物の前方に表示装置を配置してもよい。なお、リール以外の視認対象物としては、例えば、モータやアクチュエータなどから動力の供給を受けて可動するシャッタや扉、変形機構などの可動式の役物などが挙げられる。
【００５０】
さらに、遊技機の外装体（収納箱や前面扉）に開口部を設けるとともに、この開口部を塞ぐように表示装置を設け、画像表示モードにおいてはフルカラー画像を表示させ、透過モードにおいては、開口部を介して遊技機の内部機構を視認可能とするといったことも考えられる。
【００５１】
また、上記実施形態では、本発明の表示装置をスロットマシンに搭載する例で説明をしたが、スロットマシン以外の遊技機（例えば、パチンコ機）に本発明の表示装置を搭載してもよい。また、遊技機以外の機器に本発明の表示装置を搭載してもよいし、ショーウィンドウや看板などに本発明の表示装置を搭載してもよい。さらに、本発明の表示装置を単独で用いてもよい。
【符号の説明】
【００５２】
１０  スロットマシン（遊技機）
２０ａ〜２０ｃ  リール
１６、７０  表示装置
４０  液晶パネル
４２、７１  光源装置
４４  表示制御部（表示制御手段）
５０、６０  導光板
５２  ライトユニット
５２ａ  発光面
５６ａ  窪み
６４  ベース板
６６  光学シート
７２  基板
ＬＥＤ−Ｒ、Ｇ、Ｂ  光源（発光素子）
ＥＬ−Ｒ、Ｇ、Ｂ  光源（発光素子）
【図１】
2015150274.tif 000003
【図２】
2015150274.tif 000004
【図３】
2015150274.tif 000005
【図４】
2015150274.tif 000006
【図５】
2015150274.tif 000007
【図６】
2015150274.tif 000008
【図７】
2015150274.tif 000009
【図８】
2015150274.tif 000010
【図９】
2015150274.tif 000011